【手続補正書】
【提出日】平成18年4月24日(2006.4.24)
【手続補正１】
【補正対象書類名】特許請求の範囲
【補正対象項目名】全文
【補正方法】変更
【補正の内容】
【特許請求の範囲】
【請求項１】
表側および裏側を有する基板と、
前記基板の裏側に配置され、且つ、ＣＬＫ端子、ＤＡＴ端子およびＣＭＤ端子を含む複数の外部端子と、
前記基板の表側に搭載された第1フラッシュメモリチップと、
前記基板の表側に搭載され、前記複数の外部端子と電気的に接続された前記第1フラッシュメモリチップ用のコントローラチップとを有し、且つ、外付けのアダプタが装着可能なメモリカードにおいて、
前記メモリカードの外形寸法は、前記アダプタを装着しない状態において、マルチメディアカード規格又はＳＤカード規格におけるフルサイズのメモリカードの外形寸法より小さく、
前記メモリカードの外形寸法は、前記アダプタが装着された状態において、前記フルサイズのメモリカードの外形寸法に等しくなるように構成されており、
前記第1フラッシュメモリチップおよび前記コントローラチップは、前記基板の表側において一体的に樹脂封止で覆われ、
前記基板の表側には、前記樹脂封止から露出するように構成され、且つ、前記基板の配線を通じて前記樹脂封止内の前記第1フラッシュメモリチップと電気的に接続された複数の接続端子が設けられていることを特徴とするメモリカード。
【請求項２】
請求項１に記載のメモリカードにおいて、
前記基板の表側に設けられた前記複数の接続端子は、前記第1フラッシュメモリチップのテスト用の端子であることを特徴とするメモリカード。
【請求項３】
請求項１に記載のメモリカードにおいて、
前記基板の表側に設けられた前記複数の接続端子は、前記第1フラッシュメモリチップの電気的特性を測定するための端子であることを特徴としたメモリカード。
【請求項４】
請求項１〜３のいずれか１項に記載のメモリカードにおいて、
前記基板の表側に設けられた前記複数の接続端子の数は、前記外部端子の数よりも多いことを特徴とするメモリカード。
【請求項５】
表側および裏側を有する基板と、
前記基板の裏側に配置され、且つ、ＣＬＫ端子、ＤＡＴ端子およびＣＭＤ端子を含む複数の外部端子と、
前記基板の表側に搭載された第1フラッシュメモリチップと、
前記基板の表側に搭載され、前記複数の外部端子と電気的に接続された前記第1フラッシュメモリチップ用のコントローラチップとを有し、且つ、外付けのアダプタが装着可能なメモリカードにおいて、
前記メモリカードの外形寸法は、前記アダプタを装着しない状態において、マルチメディアカード規格又はＳＤカード規格におけるフルサイズのメモリカードの外形寸法より小さく、
前記メモリカードの外形寸法は、前記アダプタが装着された状態において、前記フルサイズのメモリカードの外形寸法に等しくなるように構成されており、
前記第1フラッシュメモリチップおよび前記コントローラチップは、前記基板の表側において一体的に樹脂封止で覆われ、
前記基板の裏側には、前記複数の外部端子とは別に、前記基板の配線を通じて前記樹脂封止内の前記第1フラッシュメモリチップと電気的に接続された複数の接続端子が設けられていることを特徴とするメモリカード。
【請求項６】
請求項５に記載のメモリカードにおいて、
前記基板の裏側に設けられた前記複数の接続端子は、前記第1フラッシュメモリチップのテスト用の端子であることを特徴とするメモリカード。
【請求項７】
請求項５に記載のメモリカードにおいて、
前記基板の裏側に設けられた前記複数の接続端子は、前記メモリカードの機能追加用の端子であることを特徴とするメモリカード。
【請求項８】
請求項１〜７のいずれか１項に記載のメモリカードにおいて、
前記複数の接続端子は、前記コントローラチップよりも前記第1フラッシュメモリチップに近い位置に配置されていることを特徴とするメモリカード。
【請求項９】
請求項１〜８のいずれか１項に記載のメモリカードにおいて、
前記フルサイズのメモリカードの外形寸法は、３２ｍｍ×２４ｍｍであることを特徴とするメモリカード。
【請求項１０】
請求項１〜９のいずれか１項に記載のメモリカードにおいて、
前記メモリカードの厚さは、１．４ｍｍであることを特徴とするメモリカード。
【請求項１１】
請求項１〜１０のいずれか１項に記載のメモリカードにおいて、
前記メモリカードの外形寸法は、２４ｍｍ×１８ｍｍであることを特徴とするメモリカード。
【請求項１２】
請求項１〜１１のいずれか１項に記載のメモリカードは更に、第２フラッシュメモリチップを有することを特徴とするメモリカード。
【請求項１３】
請求項１２に記載のメモリカードにおいて、
前記第２フラッシュメモリチップは前記第１フラッシュメモリチップ上に積層されていることを特徴とするメモリカード。
【請求項１４】
請求項１〜１３のいずれか１項に記載のメモリカードにおいて、
前記第１フラッシュメモリチップの平面寸法は、前記コントローラチップの平面寸法よりも大きいことを特徴とするメモリカード。
【請求項１５】
請求項１〜１４のいずれか１項に記載のメモリカードにおいて、
前記メモリカードと前記アダプタが接続される領域であって、前記メモリカードの両角部には、前記メモリカードと前記アダプタとが接続するための第１装着部が設けられており、
前記メモリカードの表側および裏側において、前記第１装着部は前記メモリカードよりも窪むように形成されていることを特徴とするメモリカード。
【請求項１６】
請求項１５に記載のメモリカードにおいて、
前記メモリカードの表側における前記第１装着部の幅は、前記メモリカードの裏側における前記第１装着部の幅よりも大きく形成されていることを特徴とするメモリカード。
【請求項１７】
請求項１６に記載のメモリカードにおいて、
前記両角部の第１装着部に挟まれた領域には、前記アダプタに接続するための第２装着部が設けられており、
前記第２装着部は、
前記メモリカードに形成された窪み部と、
前記窪み部内に形成され、前記窪み部よりも深く形成された溝部とを含む構成であることを特徴とするメモリカード。
【請求項１８】
請求項１〜１７のいずれか１項に記載のメモリカードにおいて、
前記複数の外部端子の数は、７であることを特徴とするメモリカード。
【請求項１９】
請求項１〜１７のいずれか１項に記載のメモリカードにおいて、
前記複数の外部端子の数は、９であることを特徴とするメモリカード。
【請求項２０】
請求項１〜１７のいずれか１項に記載のメモリカードにおいて、
前記複数の外部端子の数は、１３であることを特徴とするメモリカード。
【請求項２１】
請求項２０に記載のメモリカードにおいて、
前記複数の外部端子は、２列に配置されていることを特徴とするメモリカード。
【請求項２２】
請求項１〜２１のいずれか１項に記載のメモリカードにおいて、
前記メモリカードに、前記メモリカードの挿入方向を示すマークが設けられていることを特徴とするメモリカード。
【請求項２３】
請求項１〜２２のいずれか１項に記載のメモリカードにおいて、
前記メモリカードの角の１つは、切り欠かれていることを特徴とするメモリカード。
【請求項２４】
請求項１〜２３のいずれか１項に記載のメモリカードにおいて、
前記メモリカードの表側に、前記メモリカード取り出し用の溝部が設けられていることを特徴とするメモリカード。
【手続補正２】
【補正対象書類名】図面
【補正対象項目名】図５
【補正方法】変更
【補正の内容】
【図５】
2005141769.tif 000001